(57)【特許請求の範囲】
【請求項１】
位置情報衛星から送信される衛星信号を受信する衛星信号受信装置であって、
前記衛星信号を受信する受信回路と、
屋外検出回路と、
前記受信回路および前記屋外検出回路を制御する制御回路とを備え、
前記制御回路は、前記屋外検出回路での検出結果に基づいて、前記衛星信号受信装置が屋外に配置されていると判断した場合には、前記受信回路を作動し、
前記衛星信号受信装置が屋外に配置されていないと判断した屋内配置状態が、予め設定された所定時間以上の間継続した場合には、予め設定された定時受信時刻に前記受信回路を作動する
ことを特徴とする衛星信号受信装置。
【請求項２】
請求項１に記載の衛星信号受信装置において、
前記制御回路は、前記屋内配置状態が前記所定時間以上の間継続した場合には、前記屋外検出回路の作動を停止して、前記定時受信時刻に前記受信回路を作動する
ことを特徴とする衛星信号受信装置。
【請求項３】
請求項１または請求項２に記載の衛星信号受信装置において、
前記制御回路は、前記受信回路を作動した場合には、前記屋内配置状態が前記所定時間以上の間継続しても前記定時受信時刻に前記受信回路を作動させずに、前記衛星信号受信装置が屋外に配置されていると判断した場合に前記受信回路を作動する
ことを特徴とする衛星信号受信装置。
【請求項４】
請求項１から請求項３のいずれかに記載の衛星信号受信装置において、
前記制御回路は、前記衛星信号受信装置が屋外に配置されていると判断した場合に行った前記衛星信号の受信の成功時刻を、前記定時受信時刻として設定する
ことを特徴とする衛星信号受信装置。
【請求項５】
請求項１から請求項４のいずれかに記載の衛星信号受信装置において、
前記制御回路は、強制受信が指示された場合には、前記受信回路を作動し、
前記強制受信の指示に基づいて行った前記衛星信号の受信の成功時刻を、前記定時受信時刻として設定する
ことを特徴とする衛星信号受信装置。
【請求項６】
請求項４または請求項５に記載の衛星信号受信装置において、
記憶部を備え、
前記制御回路は、前記成功時刻を前記記憶部に記憶させ、
前記成功時刻が複数存在する場合には、受信の成功回数が最も多い前記成功時刻を前記定時受信時刻として設定する
ことを特徴とする衛星信号受信装置。
【請求項７】
請求項６に記載の衛星信号受信装置において、
前記制御回路は、前記定時受信時刻に行った前記衛星信号の受信が失敗した場合には、当該定時受信時刻として設定されていた成功時刻以外の前記成功時刻のうち、前記成功回数が最も多い前記成功時刻を前記定時受信時刻として設定し、前記定時受信時刻に行った前記衛星信号の受信が成功した場合には、前記定時受信時刻を変更しない
ことを特徴とする衛星信号受信装置。
【請求項８】
請求項４から請求項７のいずれかに記載の衛星信号受信装置において、
前記制御回路は、前記成功時刻が一定時間間隔で設定された複数の時間帯のうちいずれの時間帯に含まれるかを判定して、前記成功時刻が含まれる時間帯の特定時刻を前記定時受信時刻として設定する
ことを特徴とする衛星信号受信装置。
【請求項９】
請求項１から請求項８のいずれかに記載の衛星信号受信装置において、
前記制御回路は、予め設定された制御開始時刻に前記受信回路および前記屋外検出回路の制御を開始し、
次回の前記制御開始時刻までの間に前記受信回路を作動しなかった場合には、当該次回の制御開始時刻に制御を開始し、前記受信回路を作動した場合には、当該次回の制御開始時刻から予め設定された設定時間経過後の制御開始時刻に制御を開始する
ことを特徴とする衛星信号受信装置。
【請求項１０】
請求項１から請求項９のいずれかに記載の衛星信号受信装置において、
ソーラーセルと、
前記ソーラーセルに当たる光の照度の検出処理を行う照度検出回路と、
記憶部とを備え、
前記制御回路は、所定時間間隔で前記照度検出回路を作動し、
前記照度検出回路で検出された照度および当該照度の検出時刻を前記記憶部に記憶させ、
所定期間における前記照度が最も高い前記検出時刻を前記定時受信時刻として設定する
ことを特徴とする衛星信号受信装置。
【請求項１１】
請求項１０に記載の衛星信号受信装置において、
前記制御回路は、前記照度が最も高い前記検出時刻が複数存在する場合には、当該照度が検出された回数が最も多い前記検出時刻を前記定時受信時刻として設定する
ことを特徴とする衛星信号受信装置。
【請求項１２】
請求項１から請求項９のいずれかに記載の衛星信号受信装置において、
ソーラーセルと、
前記ソーラーセルに当たる光の照度の検出処理を行う照度検出回路と、
記憶部とを備え、
前記制御回路は、所定時間間隔で前記照度検出回路を作動し、
前記照度検出回路で検出された照度が予め設定された第１閾値以上の場合には、前記照度の検出時刻を前記記憶部に記憶させ、
前記記憶部に記憶させた前記検出時刻を前記定時受信時刻として設定する
ことを特徴とする衛星信号受信装置。
【請求項１３】
請求項１２に記載の衛星信号受信装置において、
前記制御回路は、前記検出時刻が複数存在する場合には、前記照度が検出された回数が最も多い前記検出時刻を前記定時受信時刻として設定する
ことを特徴とする衛星信号受信装置。
【請求項１４】
請求項１０から請求項１３のいずれかに記載の衛星信号受信装置において、
前記制御回路は、前記検出時刻が一定時間間隔で設定された複数の時間帯のうちいずれの時間帯に含まれるかを判定して、前記検出時刻が含まれる時間帯の特定時刻を前記記憶部に記憶させる
ことを特徴とする衛星信号受信装置。
【請求項１５】
請求項１から請求項１４のいずれかに記載の衛星信号受信装置において、
ソーラーセルを備え、
前記屋外検出回路は、前記衛星信号受信装置が屋外に配置されているか否かの検出処理として、前記ソーラーセルに当たる光の照度の検出処理を行う照度検出回路であり、
前記制御回路は、前記照度検出回路で検出された照度が予め設定された第２閾値以上の場合には、前記衛星信号受信装置が屋外に配置されていると判断し、前記第２閾値未満の場合には、屋外に配置されていないと判断する
ことを特徴とする衛星信号受信装置。
【請求項１６】
位置情報衛星から送信される衛星信号を受信する衛星信号受信方法であって、
衛星信号受信装置が屋外に配置されているか否かを検出することと、
前記衛星信号受信装置が屋外に配置されていると判断した場合には、前記衛星信号を受信し、かつ、前記衛星信号受信装置が屋外に配置されていないと判断した屋内配置状態が、予め設定された所定時間以上の間継続した場合には、予め設定された定時受信時刻に前記衛星信号を受信することと、
を含むことを特徴とする衛星信号受信方法。
【請求項１７】
請求項１０から請求項１５のいずれかに記載の衛星信号受信装置と、
前記ソーラーセルで変換された電気エネルギーを蓄積する電池とを備え、
前記受信回路、前記照度検出回路および前記制御回路は、前記電池に蓄積された電気エネルギーにより駆動される
ことを特徴とする電子機器。
【請求項１８】
位置情報衛星から送信される衛星信号を受信する衛星信号受信装置であって、
前記衛星信号を受信する受信回路と、
ソーラーセルと、
前記受信回路を制御する制御回路とを備え、
前記制御回路は、前記ソーラーセルに当たる光の照度が、予め設定された閾値以上の場合には、前記受信回路を作動し、
前記ソーラーセルに当たる光の照度が、前記閾値未満の状態が、所定時間以上の間継続した場合には、予め設定された定時受信時刻に前記受信回路を作動する
ことを特徴とする衛星信号受信装置。
【発明の詳細な説明】
【技術分野】
【０００１】
本発明は、例えばＧＰＳ衛星等の位置情報衛星からの信号に基づいて測位や時刻修正を行う衛星信号受信装置、衛星信号受信方法、および、電子機器に関するものである。
【背景技術】
【０００２】
ＧＰＳ（Global Positioning System）衛星からの衛星信号を受信して測位や時刻修正
を行う電子機器が知られている（例えば、特許文献１）。
このような電子機器として、例えば、腕時計のように、使用者と共に移動する機器を想定した場合、電子機器が屋内や地下街等の衛星信号を受信できない環境に移動していることが考えられる。
【０００３】
このような衛星信号を受信できない環境で受信処理を行うと、電力を無駄に消費してしまう。特に、腕時計のように電池駆動の電子機器では、持続時間確保や、電池サイズの小型化のために、消費電流を低減する必要があり、無駄な受信処理を避ける必要があった。
【０００４】
このため、特許文献１では、電子機器にソーラーパネルを設け、その発電量を屋内外を判断する閾値と比較して電子機器が屋外に配置されているかを判断し、屋外と判断された場合に受信処理を行うようにしていた。
【先行技術文献】
【特許文献】
【０００５】
【特許文献１】特開２００８−３９５６５号公報
【発明の概要】
【発明が解決しようとする課題】
【０００６】
ところで、ソーラーパネルの発電量は、そのソーラーパネルに照射している光の照度に対応している。このため、電子機器が日中の屋外にある場合の照度と、屋内にある場合の照度とに対応する発電量を求め、これらの発電量を区別できるように前記閾値を設定することで屋内外を判断できるものと考えられていた。
しかしながら、実際には、電子機器が屋外に配置されている場合でも、電子機器の使用状況によっては、発電量が閾値を超えない場合がある。例えば、衛星信号受信装置を備える電子機器が腕時計である場合には、ソーラーセルが袖等に覆われるために、電子機器が屋外に配置されている場合でも、発電量が閾値を超えない場合がある。また、季節や天候によっては、直射日光が当たらなかったり、弱かったりするために、電子機器が屋外に配置されている場合でも、発電量が閾値を超えない場合がある。
【０００７】
本発明の目的は、衛星信号を適切に受信できる衛星信号受信装置、衛星信号受信方法、および、電子機器を提供することにある。
【課題を解決するための手段】
【０００８】
本発明の衛星信号受信装置は、位置情報衛星から送信される衛星信号を受信する衛星信号受信装置であって、前記衛星信号を受信する受信回路と、屋外検出回路と、前記受信回路および前記屋外検出回路を制御する制御回路とを備え、前記制御回路は、前記屋外検出回路での検出結果に基づいて、前記衛星信号受信装置が屋外に配置されていると判断した場合には、前記受信回路を作動し、前記衛星信号受信装置が屋外に配置されていないと判断した屋内配置状態が、予め設定された所定時間以上の間継続した場合には、予め設定された定時受信時刻に前記受信回路を作動することを特徴とする。
【０００９】
本発明においては、衛星信号受信装置が屋外に配置されていると判断した場合には、衛星信号の受信を行い、屋外に配置されていないと判断した屋内配置状態が所定時間以上の間継続しない場合には、衛星信号の受信を行わない。このため、衛星信号を受信できない可能性が高い屋内配置状態では衛星信号の受信を行わないので、無駄な電力消費を抑制できる。一方で、衛星信号受信装置が屋外に配置されているにもかかわらず、衛星信号受信装置が袖に隠れていることや季節や天候の影響により、屋外であると判断できない場合であっても、屋内配置状態が所定時間以上の間継続したときには、予め設定された定時受信時刻に衛星信号の受信を行う。このため、衛星信号受信装置の配置環境の判断結果によらず、適切なタイミングで衛星信号を受信できる。
【００１０】
本発明の衛星信号受信装置では、前記制御回路は、前記屋内配置状態が前記所定時間以上の間継続した場合には、前記屋外検出回路の作動を停止して、前記定時受信時刻に前記受信回路を作動することが好ましい。
ここで、屋内配置状態が所定時間以上の間継続する場合、利用者が冬季にコートを着用しており毎日常に袖に隠れている場合などがある。このような場合に、屋外検出回路を作動しても、屋外であることが検出される可能性は低く、無駄な電力を消費してしまう。
本発明によれば、屋内配置状態が所定時間以上継続した場合には、屋外検出回路を作動させずに、定時受信時刻になった場合にのみ受信を行うため、無駄な電力消費を抑制できる。
【００１１】
本発明の衛星信号受信装置では、前記制御回路は、前記受信回路を作動した場合には、前記屋内配置状態が前記所定時間以上の間継続しても前記定時受信時刻に前記受信回路を作動させずに、前記衛星信号受信装置が屋外に配置されていると判断した場合に前記受信回路を作動することが好ましい。
ここで、定時受信時刻に受信を行う場合には、配置環境を一切考慮に入れないが、定時受信時刻を適切に設定することにより、受信が成功する確率を高めることは可能であるが、屋外検出回路での検出結果に基づき受信を行う方が成功の確率の高い受信ができる。
本発明によれば、衛星信号の受信を行った後には、定時受信時刻に行う受信よりも成功の可能性が高い屋外検出回路での検出結果に基づき受信を行うため、定時受信と屋外検出回路での検出結果に基づく受信とを両方行う場合と比べて、無駄な電力を消費することなく衛星信号を受信できる。
【００１２】
本発明の衛星信号受信装置では、前記制御回路は、前記衛星信号受信装置が屋外に配置されていると判断した場合に行った前記衛星信号の受信の成功時刻を、前記定時受信時刻として設定することが好ましい。
ここで、衛星信号受信装置の利用者の毎日の生活パターンは、ほぼ同じと考えられ、配置環境の検出結果にも反映されると考えられる。
本発明によれば、屋内配置状態が所定時間以上の間継続した場合には、屋外に配置されていると判断した場合に行った受信の成功時刻に受信を行うことで、受信の成功確率を高めることができる。
【００１３】
本発明の衛星信号受信装置では、前記制御回路は、強制受信が指示された場合には、前記受信回路を作動し、前記強制受信の指示に基づいて行った前記衛星信号の受信の成功時刻を、前記定時受信時刻として設定することが好ましい。
ここで、衛星信号の受信は屋外で受信すると成功する可能性が高い。手動で強制受信を指示した時刻には、利用者が屋外にいる可能性が高いと考えられる。
上述したように、利用者の毎日の生活パターンが同じであると仮定すると、例えば会社に通勤する途中の屋外で手動で強制受信したとすると、その強制受信した時刻には屋外にいる可能性が高い。
本発明によれば、屋内配置状態が所定時間以上の間継続した場合には、強制受信が指示された時刻に受信を行うことで、受信の成功確率を高めることができる。
【００１４】
本発明の衛星信号受信装置では、記憶部を備え、前記制御回路は、前記成功時刻を前記記憶部に記憶させ、前記成功時刻が複数存在する場合には、受信の成功回数が最も多い前記成功時刻を前記定時受信時刻として設定することが好ましい。
ここで、受信が成功した時刻には、利用者が屋外にいる可能性が高いと考えられる。
本発明によれば、過去における受信が成功した時刻のうち、成功回数が最も多い時刻に受信を行うことで、利用者が屋外にいる可能性が高いタイミングで受信を行うことができ、受信の成功確率を高めることができる。
【００１５】
本発明の衛星信号受信装置では、前記制御回路は、前記定時受信時刻に行った前記衛星信号の受信が失敗した場合には、当該定時受信時刻として設定されていた成功時刻以外の前記成功時刻のうち、前記成功回数が最も多い前記成功時刻を前記定時受信時刻として設定し、前記定時受信時刻に行った前記衛星信号の受信が成功した場合には、前記定時受信時刻を変更しないことが好ましい。
本発明によれば、成功回数が最も多い定時受信時刻に受信を失敗した場合には、当該定時受信時刻として設定されていた成功時刻以外の成功時刻のうち、成功回数が最も多い成功時刻を定時受信時刻として設定するため、利用者の生活パターンが変わった場合でも、次回の受信の成功確率を高めることができる。
【００１６】
本発明の衛星信号受信装置では、前記制御回路は、前記成功時刻が一定時間間隔で設定された複数の時間帯のうちいずれの時間帯に含まれるかを判定して、前記成功時刻が含まれる時間帯の特定時刻を前記定時受信時刻として設定することが好ましい。
本発明によれば、成功時刻をそのまま定時受信時刻として設定せずに、当該成功時刻が含まれる時間帯の特定時刻を定時受信時刻として設定するため、定時受信時刻の管理数を少なくできる。また、利用者が定時受信時刻を把握しやすくなる。
【００１７】
本発明の衛星信号受信装置では、前記制御回路は、予め設定された制御開始時刻に前記受信回路および前記屋外検出回路の制御を開始し、次回の前記制御開始時刻までの間に前記受信回路を作動しなかった場合には、当該次回の制御開始時刻に制御を開始し、前記受信回路を作動した場合には、当該次回の制御開始時刻から予め設定された設定時間経過後の制御開始時刻に制御を開始することが好ましい。
本発明によれば、受信を行ったことにより電池の電力の残量が少なくなった場合には、次回の制御開始時刻から予め設定された設定時間の間は受信を行わないため、例えば、ソーラーセルで変換された電気エネルギーで電池を充電する電子機器に衛星信号受信装置を適用した場合には、当該受信を行わない時間に充電することができ、受信中に電力が無くなってしまうという不具合を抑制できる。また、受信を行わなかったために電力の残量が多い場合には、次回の制御開始時刻に受信を行うため、迅速なタイミングで衛星信号を受信できる。
【００１８】
本発明の衛星信号受信装置では、ソーラーセルと、前記ソーラーセルに当たる光の照度の検出処理を行う照度検出回路と、記憶部とを備え、前記制御回路は、所定時間間隔で前記照度検出回路を作動し、前記照度検出回路で検出された照度および当該照度の検出時刻を前記記憶部に記憶させ、所定期間における前記照度が最も高い前記検出時刻を前記定時受信時刻として設定することが好ましい。
ここで、照度が高いほど、衛星信号受信装置の周囲は、建物などの衛星信号を遮るものが少ない環境であると考えられる。
本発明によれば、衛星信号を遮るものが少ない環境に衛星信号受信装置が配置されている時刻に受信を行うことで、受信の成功確率を高めることができる。
【００１９】
本発明の衛星信号受信装置では、前記制御回路は、前記照度が最も高い前記検出時刻が複数存在する場合には、当該照度が検出された回数が最も多い前記検出時刻を前記定時受信時刻として設定することが好ましい。
本発明によれば、過去における照度が高い検出時刻のうち、検出回数が最も多い検出時刻に受信を行うことで、利用者が屋外にいる可能性が高いタイミングで受信を行うことができ、受信の成功確率を高めることができる。
【００２０】
本発明の衛星信号受信装置では、ソーラーセルと、前記ソーラーセルに当たる光の照度の検出処理を行う照度検出回路と、記憶部とを備え、前記制御回路は、所定時間間隔で前記照度検出回路を作動し、前記照度検出回路で検出された照度が予め設定された第１閾値以上の場合には、前記照度の検出時刻を前記記憶部に記憶させ、前記記憶部に記憶させた前記検出時刻を前記定時受信時刻として設定することが好ましい。
本発明によれば、過去において照度が第１閾値以上であった検出時刻を選んで受信を行うことで、受信の成功確率を高めることができる。また、利用者が屋外にいることを検出できるような値に第１閾値を設定することで、利用者が屋外にいるタイミングで定時受信を行うことができる。
【００２１】
本発明の衛星信号受信装置では、前記制御回路は、前記検出時刻が複数存在する場合には、前記照度が検出された回数が最も多い前記検出時刻を前記定時受信時刻として設定することが好ましい。
本発明によれば、過去における照度が第１閾値以上の時刻が複数存在する場合でも、検出回数が最も多い時刻に定時受信を行うことで、利用者が屋外にいる可能性が高いタイミングで受信を行うことができ、受信の成功確率を高めることができる。
【００２２】
本発明の衛星信号受信装置では、前記制御回路は、前記検出時刻が一定時間間隔で設定された複数の時間帯のうちいずれの時間帯に含まれるかを判定して、前記検出時刻が含まれる時間帯の特定時刻を前記記憶部に記憶させることが好ましい。
本発明によれば、照度の検出時刻をそのまま記憶させずに、当該検出時刻が含まれる時間帯の特定時刻を検出時刻として記憶させるため、定時受信時刻の管理数を少なくできるとともに、記憶部の記憶容量を最小限に抑えることができる。また、利用者が定時受信時刻を把握しやすくなる。
【００２３】
本発明の衛星信号受信装置では、ソーラーセルを備え、前記屋外検出回路は、前記衛星信号受信装置が屋外に配置されているか否かの検出処理として、前記ソーラーセルに当たる光の照度の検出処理を行う照度検出回路であり、前記制御回路は、前記照度検出回路で検出された照度が予め設定された第２閾値以上の場合には、前記衛星信号受信装置が屋外に配置されていると判断し、前記第２閾値未満の場合には、屋外に配置されていないと判断することが好ましい。
ここで、昼間であれば、照度は、室内光と太陽光とでは大きく異なる。
本発明によれば、ソーラーセルに当たる光の照度に基づいて、屋外か否かを判断するため、昼間であれば屋外と屋内とを適切に区別でき、受信の成功確率を高めることができる。
【００２４】
本発明の衛星信号受信方法は、位置情報衛星から送信される衛星信号を受信する衛星信号受信方法であって、衛星信号受信装置が屋外に配置されているか否かを検出することと、前記衛星信号受信装置が屋外に配置されていると判断した場合には、前記衛星信号を受信し、かつ、前記衛星信号受信装置が屋外に配置されていないと判断した屋内配置状態が、予め設定された所定時間以上の間継続した場合には、予め設定された定時受信時刻に前記衛星信号を受信することと、を含むことを特徴とする。
【００２５】
本発明の電子機器は、上述の衛星信号受信装置と、前記ソーラーセルで変換された電気エネルギーを蓄積する電池とを備え、前記受信回路、前記照度検出回路および前記制御回路は、前記電池に蓄積された電気エネルギーにより駆動されることを特徴とする。
【００２６】
本発明の衛星信号受信方法および電子機器によれば、前記衛星信号受信装置と同様の作用効果を奏することができる。特に、本発明の電子機器によれば、外部の電池を用いることなく、衛星信号を受信できる。さらには、ソーラーセルを充電と配置環境の検出との両方に用いるので、電子機器の構成を簡略化できる。
【図面の簡単な説明】
【００２７】
【図１】電子機器の平面図である。
【図２】電子機器の概略断面図である。
【図３】電子機器の回路構成を示すブロック図である。
【図４】第１実施形態における制御回路での衛星信号の受信処理を示すフローチャートである。
【図５】充電状態検出および開放電圧検出の作動タイミングを説明する図である。
【図６】電子機器のソーラーセルに当たる光の照度とソーラーセルの開放電圧との関係を示すグラフである。
【図７】各照度検出レベルにおけるソーラーセルでの開放電圧およびソーラーセルに当たる光の照度との関係を示す図である。
【図８】第２実施形態における制御回路での衛星信号の受信処理を示すフローチャートである。
【図９】第３実施形態における制御回路での衛星信号の受信処理を示すフローチャートである。
【図１０】第４実施形態における制御回路での照度検出レベルの記憶処理を示すフローチャートである。
【図１１】前記第４実施形態における定時受信時刻の設定に用いる各照度検出レベルでの検出時刻および検出回数の関係を示す図である。
【図１２】前記第４実施形態および第５実施形態における制御回路での衛星信号の受信処理を示すフローチャートである。
【図１３】前記第５実施形態における制御回路での検出時刻の記憶処理を示すフローチャートである。
【図１４】前記第５実施形態における定時受信の設定に用いる各検出時刻での検出回数を示す図である。
【図１５】第１変形例における定時受信時刻の設定に用いる受信成功時刻を示す図である。
【図１６】第２変形例における定時受信時刻の設定に用いる各時間帯での受信実施回数および受信成功回数の関係を示す図である。
【図１７】第３変形例における定時受信時刻の設定に用いる各曜日での受信成功回数の関係を示す図である。
【発明を実施するための形態】
【００２８】
［第１実施形態］
以下、この発明の好適な実施の形態の一つである第１実施形態を、添付図面等を参照しながら詳細に説明する。
【００２９】
［電子機器の構造］
図１は、本発明の第１実施形態に係る衛星信号受信装置を備える電子機器１００の平面図であり、図２は電子機器１００の概略断面図である。図１から明らかなように、電子機器１００は、使用者の手首に装着される腕時計（電子時計）であり、文字板１１および指針１２を備え、時刻を計時して表面に表示する。文字板１１の大部分は、光および１．５ＧＨｚ帯のマイクロ波が透過し易い非金属の材料（例えば、プラスチックまたはガラス）で形成されている。指針１２は、文字板１１の表面側に設けられている。また、指針１２は、回転軸１３を中心に回転移動する秒針１２１、分針１２２および時針１２３を含み、歯車を介してステップモーターで駆動される。
【００３０】
電子機器１００では、リューズ１４やボタン１５、ボタン１６の手動操作に応じた処理が実行される。具体的には、リューズ１４が操作されると、その操作に応じて表示時刻を修正する手動修正処理が実行される。また、ボタン１５が長時間（例えば３秒以上の時間）にわたって押されると、衛星信号を受信するための受信処理が実行される。また、ボタン１６が押されると、受信モード（測時モードまたは測位モード）を切り替える切替処理が実行される。この際、測時モードに設定された場合には、秒針１２１が「Ｔｉｍｅ」の位置（５秒位置）に移動し、測位モードに設定された場合には、秒針１２１が「Ｆｉｘ」の位置（１０秒位置）に移動する。
【００３１】
また、ボタン１５が短時間にわたって押されると、前回の受信処理の結果を表示する結果表示処理が行われる。例えば、測時モードで受信成功の場合には、秒針１２１が「Ｔｉｍｅ」（５秒位置）の位置に移動し、測位モードで受信成功の場合には、秒針１２１が「Ｆｉｘ」（１０秒位置）の位置に移動する。また、受信失敗の場合には秒針１２１が「Ｎ」の位置（２０秒位置）に移動する。
なお、これらの秒針１２１による指示は受信中も行われる。すなわち、測時モードで受信中は秒針１２１が「Ｔｉｍｅ」の位置（５秒位置）に移動し、測位モードで受信中は秒針１２１が「Ｆｉｘ」の位置（１０秒位置）に移動する。また、ＧＰＳ衛星が捕捉できない場合は秒針１２１が「Ｎ」の位置（２０秒位置）に移動する。
【００３２】
図２に示すように、電子機器１００は、ステンレス鋼（ＳＵＳ）やチタン等の金属で構成された外装ケース１７を備えている。外装ケース１７は、略円筒状に形成されている。外装ケース１７の表面側の開口には、ベゼル１８を介して表面ガラス１９が取り付けられている。ベゼル１８は、衛星信号の受信性能を向上させるためにセラミックス等の非金属材料で構成される。外装ケース１７の裏面側の開口には、裏蓋２０が取り付けられている。外装ケース１７の内部には、ムーブメント２１、ソーラーセル２２、ＧＰＳアンテナ２３、二次電池２４等が配置されている。
【００３３】
ムーブメント２１は、ステップモーターや輪列２１１を含んで構成されている。ステップモーターは、モーターコイル２１２、ステーター、ローター等で構成されており、輪列２１１や回転軸１３を介して指針１２を駆動する。ムーブメント２１の裏蓋２０側には、回路基板２５が配置されている。回路基板２５は、コネクター２６を介してアンテナ基板２７および二次電池２４と接続されている。
【００３４】
回路基板２５には、ＧＰＳアンテナ２３で受信した衛星信号を処理する受信回路を含むＧＰＳ受信回路３０、ステップモーターの駆動制御等の各種の制御を行う制御回路４０等が取り付けられている。ＧＰＳ受信回路３０や制御回路４０は、シールド板２９に覆われており、二次電池２４から供給される電力で駆動される。
【００３５】
ソーラーセル２２は、光エネルギーを電気エネルギーに変換する光発電を行う光発電素子である。ソーラーセル２２は、発生した電力を出力するための電極を備え、文字板１１の裏面側に配置されている。文字板１１の大部分は、光が透過し易い材料で形成されているから、ソーラーセル２２は、表面ガラス１９および文字板１１を透過した光を受光して光発電を行うことができる。
【００３６】
二次電池２４は、電子機器１００の電源であり、ソーラーセル２２で発生した電力を蓄積する。電子機器１００では、ソーラーセル２２の二つの電極と二次電池２４の二つの電極とをそれぞれ電気的に接続することが可能であり、接続時には、ソーラーセル２２の光発電によって二次電池２４が充電される。なお、本実施形態では、二次電池２４として、携帯機器に好適なリチウムイオン電池を用いているが、リチウムポリマー電池や他の二次電池を用いてもよいし、二次電池とは異なる蓄電体（例えば容量素子）を用いてもよい。
【００３７】
ＧＰＳアンテナ２３は、１．５ＧＨｚ帯のマイクロ波を受信するアンテナであり、文字板１１の裏面側に配置され、裏蓋２０側のアンテナ基板２７上に実装されている。文字板１１に直交する方向において、ＧＰＳアンテナ２３と重なる文字板１１の部分は、１．５ＧＨｚ帯のマイクロ波が透過し易い材料（例えば、導電率および透磁性の低い非金属の材料）で形成されている。また、ＧＰＳアンテナ２３と文字板１１との間には電極を備えたソーラーセル２２が介在しない。よって、ＧＰＳアンテナ２３は、表面ガラス１９および文字板１１を透過した衛星信号を受信することができる。
【００３８】
ところで、ＧＰＳアンテナ２３とソーラーセル２２の距離が近いほど、ＧＰＳアンテナ２３とソーラーセル２２内の金属部材が電気的に結合してロスが発生したり、ＧＰＳアンテナ２３の放射パターンがソーラーセル２２に遮られて小さくなったりする。そのため、受信性能が劣化しないように、実施形態では、ＧＰＳアンテナ２３とソーラーセル２２との距離が所定値以上になるように配置されている。
【００３９】
また、ＧＰＳアンテナ２３は、ソーラーセル２２以外の金属部材との距離も所定値以上となるように配置されている。例えば、外装ケース１７やムーブメント２１が金属部材で構成されている場合、ＧＰＳアンテナ２３は、外装ケース１７との距離およびムーブメント２１との距離がともに所定値以上になるように配置される。なお、ＧＰＳアンテナ２３としては、パッチアンテナ（マイクロストリップアンテナ）、ヘリカルアンテナ、チップアンテナ、逆Ｆアンテナ等を採用可能である。
【００４０】
ＧＰＳ受信回路３０は、二次電池２４に蓄積された電力で駆動される負荷であり、各回の駆動毎に、ＧＰＳアンテナ２３を通じてＧＰＳ衛星からの衛星信号の受信を試み、受信に成功した場合には、取得した軌道情報やＧＰＳ時刻情報等の情報を制御回路４０へ供給し、失敗した場合には、その旨の情報を制御回路４０へ供給する。なお、ＧＰＳ受信回路３０の構成は、公知のＧＰＳ受信回路の構成と同様であるため、その説明を省略する。
【００４１】
図３は、電子機器１００の回路構成を示すブロック図である。この図に示すように、電子機器１００は、ソーラーセル２２と、二次電池２４と、ＧＰＳ受信回路３０と、制御回路４０と、ダイオード４１と、充電制御用スイッチ４２と、充電状態検出回路４３と、電圧検出回路４４と、時計部５０と、記憶部６０とを備えている。なお、本発明における屋外検出回路としての照度検出回路は、充電状態検出回路４３と、電圧検出回路４４とから構成される。
【００４２】
制御回路４０は、衛星信号受信装置を備える電子機器１００を制御するためのＣＰＵで構成されている。この制御回路４０は、後述するように、ＧＰＳ受信回路３０を制御して受信処理を実行する。また、制御回路４０は、充電状態検出回路４３、電圧検出回路４４の動作を制御する。
【００４３】
ダイオード４１は、ソーラーセル２２と二次電池２４とを電気的に接続する経路に設けられ、ソーラーセル２２から二次電池２４への電流（順方向電流）を遮断せずに、二次電池２４からソーラーセル２２への電流（逆方向電流）を遮断する。なお、順方向電流が流れるのは、二次電池２４の電圧よりもソーラーセル２２の電圧が高い場合、すなわち充電時に限られる。また、ダイオード４１に代えて電界効果トランジスター（ＦＥＴ）を採用してもよい。
【００４４】
充電制御用スイッチ４２は、ソーラーセル２２から二次電池２４への電流の経路を接続および切断するものであり、ソーラーセル２２と二次電池２４とを電気的に接続する経路に設けられたスイッチング素子４２１を備えている。スイッチング素子４２１がオフ状態からオン状態に遷移するとオン（接続）し、スイッチング素子４２１がオン状態からオフ状態へ遷移するとオフ（切断）する。
例えば、過充電により電池特性が劣化する状態にならないよう、二次電池２４の電池電圧が所定値以上となる場合には、充電制御用スイッチ４２をオフする。
【００４５】
スイッチング素子４２１は、ｐチャネル型のトランジスターであり、ゲート電圧Ｖｇ１がローレベルの場合にはオン状態となり、ハイレベルの場合にはオフ状態となる。ゲート電圧Ｖｇ１は、制御回路４０に制御される。
【００４６】
充電状態検出回路４３は、充電状態の検出タイミングを指定する２値の制御信号ＣＴＬ１に基づいて作動し、ソーラーセル２２から二次電池２４への充電の状態（充電状態）を検出し、検出結果ＲＳ１を制御回路４０へ出力する。充電状態は「充電中」または「非充電中」であり、その検出は電池電圧ＶＣＣと充電制御用スイッチ４２がオンのときのソーラーセル２２のＰＶＩＮとに基づいて行われる。例えば、ダイオード４１の降下電圧をＶｔｈとし、スイッチング素子４２１のオン抵抗を無視したとき、ＰＶＩＮ−Ｖｔｈ＞ＶＣＣの場合には「充電中」と判定し、ＰＶＩＮ−Ｖｔｈ≦ＶＣＣの場合には「非充電中」と判定することができる。
【００４７】
本実施形態では、制御信号ＣＴＬ１は、周期が１秒のパルス信号であり、充電状態検出回路４３は、制御信号ＣＴＬ１がハイレベルの期間において充電状態の検出を行う。つまり、充電状態検出回路４３は、充電制御用スイッチ４２を接続状態に維持したまま、充電状態の検出を１秒周期で繰り返し行う。
【００４８】
なお、充電状態の検出を間欠的に行うのは、充電状態検出回路４３の消費電力量を低減するためである。この低減が不要であれば、充電状態が連続的に検出されるようにしてもよい。充電状態検出回路４３は、例えば、コンパレーター、Ａ／Ｄコンバーター等を用いて構成することができる。
【００４９】
電圧検出回路４４は、電圧の検出タイミングを指定する２値の制御信号ＣＴＬ２に基づいて作動し、この制御信号ＣＴＬ２により充電制御用スイッチ４２がオフとされた期間においてソーラーセル２２の端子電圧ＰＶＩＮ、すなわちソーラーセル２２の開放電圧を検出する。また、電圧検出回路４４は、開放電圧の検出結果ＲＳ２を制御回路４０へ出力する。
【００５０】
時計部５０は、ムーブメント２１を備え、二次電池２４に蓄積された電力で駆動されて計時処理を行う。計時処理では、時刻を計時する一方、計時時刻に応じた時刻（表示時刻）を電子機器１００の表面に表示させる。
記憶部６０は、各種情報を記憶する。記憶部６０の記憶容量は、記憶させる情報の数や大きさによって選択されればよい。
【００５１】
［制御回路の動作］
図４は、第１実施形態における制御回路での衛星信号の受信処理を示すフローチャートである。図５は、充電状態検出、開放電圧検出、受信処理の作動タイミングを説明する図である。図６は、電子機器のソーラーセルに当たる光の照度とソーラーセルの開放電圧との関係を示すグラフである。図７は、各照度検出レベルにおけるソーラーセルでの開放電圧およびソーラーセルに当たる光の照度との関係を示す図である。
【００５２】
このような電子機器１００における制御回路４０の動作について、図４のフローチャートに基づき説明する。
制御回路４０は、毎日１２時００分００秒に制御を始める。まず、制御回路４０は、変数Ｒが「０」か否かを判定する（ＳＡ１）。この変数Ｒは、所定時間である２４時間以内に、衛星信号の受信処理が行われた場合には、受信が成功したか否かにかかわらず、「１」に設定される。一方で、２４時間以内に１回も受信処理が行われなかった場合には、すなわち、電子機器１００の配置環境が屋内であると判断された屋内配置状態が２４時間以上継続した場合には、「０」に設定される。なお、前記所定時間は、２４時間に限らずいずれの時間としてもよいが、通常は、半日（１２時間）、１日（２４時間）、２日（４８時間）など、半日以上の時間に設定することが好ましい。
【００５３】
制御回路４０は、ＳＡ１でＮｏと判定した場合（変数Ｒが「１」であり、所定時間内に受信処理が行われた場合）、ソーラーセル２２に当たる光の照度に対応する開放電圧の照度検出レベルが、２回連続して閾値である第２閾値レベル以上か否かを判定する（ＳＡ２）。すなわち、制御回路４０は、所定時間内に受信処理が行われた場合には、詳しくは後述するが、ソーラーセル２２に当たる光の照度に基づいて衛星信号の受信処理（光自動受信処理）を開始する。
【００５４】
具体的に、制御回路４０は、図５に示すように、１秒間隔の制御信号ＣＴＬ１を出力し、一定周期で充電状態検出回路４３を作動する。制御信号ＣＴＬ１が入力されると、充電状態検出回路４３は、充電状態であるか否かを示す検出結果ＲＳ１を制御回路４０に出力する。このため、制御回路４０は、充電中であるか否かを判定する。なお、充電制御用スイッチ４２は、後述するように、電圧検出回路４４が作動されるタイミングのみオフに切り替えられる。なお、充電状態の検出を１秒間隔で行っているが、この間隔に限定されず、例えば、０．５秒間隔、１０秒間隔や１分間隔に設定してもよい。
【００５５】
電子機器１００に当たる光が暗く、ソーラーセル２２で発電が行われていない場合、充電状態検出回路４３は「非充電中」の検出結果ＲＳ１を制御回路４０に出力する。この場合、制御回路４０は充電中ではないと判定し、制御回路４０からはローレベルの制御信号ＣＴＬ２を出力する。
したがって、充電状態でないと判定した場合、制御回路４０は、電子機器１００が屋外に配置されておらず、ＧＰＳ信号の受信に適した場所に配置されていない可能性が高いと判断できる。
【００５６】
一方、制御回路４０は、充電状態であると判定した場合、電圧検出回路４４を作動する。この際、前述の通り、充電制御用スイッチ４２は、制御回路４０によってオフ状態に切り替えられる。すなわち、制御回路４０は、充電状態検出回路４３で充電中であることを検出すると、１秒間隔の制御信号ＣＴＬ２を出力し、電圧検出回路４４を作動する。この際、充電制御用スイッチ４２は、制御回路４０からの制御信号ＣＴＬ２によってオフ状態に制御されるので、ソーラーセル２２および電圧検出回路４４は、二次電池２４とは切り離される。このため、電圧検出回路４４は、二次電池２４の充電電圧の影響を受けることなく、ソーラーセル２２に当たる光の照度に対応する開放電圧を検出できる。
なお、充電制御用スイッチ４２がオフ状態では充電状態検出回路４３によって充電状態を検出できない。このため、制御回路４０は、充電状態検出回路４３に対する制御信号ＣＴＬ１の出力タイミングと、電圧検出回路４４に対する制御信号ＣＴＬ２の出力タイミングとが一致しないように、制御信号ＣＴＬ１と制御信号ＣＴＬ２の出力タイミングをずらしている。
【００５７】
本実施形態では、電圧検出回路４４で検出される開放電圧は、図６に示すように、ソーラーセル２２における照度が高くなるほど高くなる。
なお、電圧検出回路４４として、ソーラーセル２２の開放電圧の代わりにソーラーセル２２の短絡電流を検出することで、ソーラーセル２２に当たる照度を検出する構成を用いてもよい。
【００５８】
制御回路４０は、電圧検出回路４４から出力される検出結果ＲＳ２により、開放電圧に対応する照度検出レベルを判定する。本実施形態では、制御回路４０は照度検出レベルを図７に示す関係に基づいて判定する。なお、図７における開放電圧と照度は、各照度検出レベルにおける下限値を表したものである。例えば、制御回路４０は、開放電圧が５．６Ｖ以上５．８Ｖ未満の場合、照度検出レベルが「７」であり、５．９Ｖ以上６．２Ｖ未満の場合、照度検出レベルが「９」であると判定する。
【００５９】
そして、制御回路４０は、前述のＳＡ２の処理、すなわち検出結果ＲＳ２により得られた照度検出レベルが、１秒間隔での電圧検出に基づいて２回連続して、予め設定された第２閾値としての第２閾値レベル以上か否かを判定する。
ここで、照度検出レベルとソーラーセルでの開放電圧との関係は、図７に示す関係に基づいて、予め設定されている。つまり、ソーラーセル２２に当たる光の照度の照度検出レベルが予め設定された第２閾値レベル以上である高照度状態であるか、第２閾値レベルよりも低い低照度状態であるかを判定するための閾値は、この図に基づいて設定されている。但し、照度検出レベルとソーラーセルでの開放電圧との関係は、図７に示す関係に限定されず、適宜設定することができる。
また、蛍光灯下においてソーラーセル２２に照射された場合の光の照度は通常５００〜１０００ルクスであるのに対し、曇りの日の日光がソーラーセル２２に照射された場合の光の照度は通常５０００ルクス程度である。そこで、ソーラーセル２２に５０００ルクスの光を当てた場合に対応する照度検出レベルである「５」を、第２閾値レベルとして規定している。
【００６０】
なお、第２閾値レベルは、「５」以外のレベルに規定されていてもよい。また、照度検出レベルが第２閾値レベル未満の状態が所定時間以上の間継続した場合には、第２閾値レベルを１レベル低くなるように設定し直して、ＧＰＳ受信回路３０を作動させる条件をより緩くしてもよい。このように、第２閾値レベルを低く設定し直すことにより、照度検出レベルが第２閾値レベル以上となりやすくなり、ＧＰＳ受信回路３０を作動させる機会を設けることができる。
【００６１】
また、ソーラーセル２２が劣化して電力変換効率が落ちた場合には、ソーラーセル２２に同じ照度の光が当たっても、開放電圧がより低くなり、制御回路４０で判定される照度検出レベルも低くなってしまう。このような場合には、第２閾値レベルを固定してしまうと、制御回路４０によって電子機器１００が屋外に配置されていることを適切に判定できないため、問題が生じる。
上述のように、第２閾値レベルを低くすれば、ソーラーセル２２の劣化が進むことにより、５０００ルクスの光が当たった場合に、照度検出レベルが第２閾値レベルである「５」よりも低い「４」以下にしかならなくても、ＧＰＳ受信回路３０を作動させる機会を設けることができる。
【００６２】
ＳＡ２でＮｏと判定した場合（低照度状態である場合）、制御回路４０は、電子機器１００が屋外に配置されておらず、ＧＰＳ信号の受信に適した場所に配置されていない可能性が高いと判断できる。
すなわち、電子機器１００が屋外に配置され、かつ、昼間であれば、ソーラーセル２２には、第２閾値レベル以上の光が１秒以上継続して照射されるはずである。従って、１秒間隔で開放電圧を検出した場合、２回以上連続して第２閾値レベル以上の開放電圧を検出した場合には、電子機器１００が屋外に配置されている可能性が高いと判断できる。
一方、２回以上連続して第２閾値レベル以上の開放電圧を検出できない場合には、例えば、電子機器１００である腕時計を装着した人が、屋内を移動しているために開放電圧が１回も第２閾値レベル以上とならない場合や、建物の窓から瞬間的に直射日光がソーラーセル２２に当たったために２回以上連続して第２閾値レベル以上とはならない場合等が想定される。このような条件では、ＧＰＳ衛星信号を感度よく受信することが難しい。
従って、本実施形態では、ＳＡ２において、２回連続して照度検出レベルが第２閾値レベル以上であるかを判断している。なお、このような判定としては、２回連続して照度検出レベルが第２閾値レベル以上であるかを判断するものに限定されない。例えば、利用者が屋外にいることをより高精度に判定したい場合には、３回以上連続して照度検出レベルが第２閾値レベル以上であることを条件としてもよい。
【００６３】
ＳＡ２でＮｏと判定した場合には、現在の時刻が、制御回路４０が制御を始めた日の翌日の１１時５９分５９秒以前か否か判定する（ＳＡ３）。このようにして、制御回路４０は、受信処理を行わずに、予め設定された所定時間が経過したか否か判定する。この場合、所定時間は２４時間である。そして、ＳＡ３でＮｏと判定した場合は、ＳＡ１に戻り、一定周期で充電状態検出回路４３を作動する。
【００６４】
一方で、ＳＡ３でＹｅｓと判定した場合（所定時間経過した場合）は、変数Ｒを「０」に設定して（ＳＡ４）、処理を終了し、次に制御回路４０での処理が開始される制御再開時刻まで待機状態に移行する。ここで、制御再開時刻は１秒後の１２時００分００秒である。
【００６５】
一方で、ＳＡ２でＹｅｓと判定した場合には、前述の通り、ＧＰＳ衛星信号の受信に適した状態になっていると予測できるので、制御回路４０は、ＧＰＳ受信回路３０を作動してＧＰＳ衛星の受信を開始する（ＳＡ５）。
なお、ＳＡ２でＹｅｓと判定した後にＳＡ５で開始される受信処理は、光自動受信処理あるいは後述する定時受信処理（以下、光自動受信処理と定時受信処理とをまとめて、「自動受信処理」という場合がある）である。この自動受信処理では、測時モードでの受信処理が行われる。すなわち、測位モードでは、位置を検出するために３個以上のＧＰＳ衛星から信号を受信しなければならず、受信処理時間も長くなる。このため、信号受信が終了するまで電子機器１００を屋外に配置しておくことが好ましいが、自動受信処理では利用者が受信中であることに気がつかず、受信中であっても屋内に移動してしまうおそれもある。このため、測位モードでの受信は、利用者が意図して受信操作を行った場合のみ、つまり強制受信処理時のみ行うことが好ましい。
一方、測時モードでは、１つのＧＰＳ衛星からの信号受信でも時刻情報を取得でき、受信処理時間も短くできる。従って、利用者が意図しなくても、受信処理を実行することができ、自動受信処理に適している。
また、受信処理中は、アンテナ基板２７の上面に指針１２があると受信感度に影響するため、アンテナ基板２７の上面に指針１２が重ならないようにモーターを制御することが好ましい。
【００６６】
一方で、制御回路４０は、ＳＡ１でＹｅｓと判定した場合（変数Ｒが「０」であり、所定時間内に受信処理が行われなかった場合）は、現在の時刻が予め設定された定時受信時刻か否かを判定する（ＳＡ６）。ここで、定時受信時刻は、詳しくは後述するが、光自動受信が成功した場合の受信開始時刻であり、記憶部６０に記憶されている。
なお、定時受信時刻は、受信終了時刻であってもよい。
また、例えば、システムリセット後であって、定時受信時刻が記憶部６０に記憶されていない場合には、デフォルトの時刻を定時受信時刻と見なしてＳＡ６の処理を行ってもよいし、定時受信時刻ではなく、定時受信を行わないと判定（ＳＡ６でＮｏと判定）してもよい。
【００６７】
制御回路４０は、ＳＡ６でＮｏと判定した場合、ＳＡ２の処理を行う。一方、制御回路４０は、ＳＡ６でＹｅｓと判定した場合、ＳＡ５の処理を行う。
すなわち、制御回路４０は、所定時間内に受信処理が行われなかった場合において、現在の時刻が定時受信時刻になるまでの間は、光自動受信を行えるか否かを判断する。そして、制御回路４０は、定時受信時刻となったと判定すると、ソーラーセル２２に当たる光の照度の大きさによらず、衛星信号の受信処理を強制的に行う定時受信を行う。
【００６８】
制御回路４０は、ＳＡ５で開始される受信処理によりＧＰＳ衛星信号の受信に成功したか否かを判定する（ＳＡ７）。
なお、ＧＰＳ受信回路３０では、まず、ＧＰＳ衛星の検索を行い、ＧＰＳ受信回路３０でＧＰＳ衛星信号を検出する。そして、ＧＰＳ衛星信号を検出した場合には、引き続きＧＰＳ衛星信号の受信を継続し、時刻情報を受信する。このように時刻情報を受信できた場合には、受信処理によりＧＰＳ衛星信号の受信に成功したと判定する。それ以外の場合、すなわち、ＧＰＳ受信回路３０でＧＰＳ衛星信号が検出されない場合や、時刻情報を受信できなかった場合には、受信処理によりＧＰＳ衛星信号の受信に失敗したと判定する。
また、制御回路４０は、受信処理によりＧＰＳ衛星信号の受信に失敗した（ＳＡ７：Ｎｏ）と判定した場合には、変数Ｒを「１」に設定して（ＳＡ８）処理を終了し、制御再開時刻である翌日の１２時００分００秒まで待機状態に移行する。
【００６９】
なお、ＳＡ７においてＮｏと判定した場合に、第２閾値レベルを１レベル高くなるように設定し直してもよい。このようにすれば、翌日の１２時００分００秒からＳＡ１の処理を再開する場合に、第２閾値レベルが１レベル高くなることで、検出レベルが第２閾値レベル以上となりにくくなる。より具体的には、屋内に配置された電子機器１００に照明の光が非常に強く照射され、検出レベルが第２閾値レベル以上となっていたために受信処理が行われた場合には、受信に失敗するために第２閾値レベルが１レベルずつ高くなる。そして、このように第２閾値レベルが１レベルずつ高くなることで、いずれは照明の光では検出レベルが第２閾値レベル以上とはならなくなり、屋外に移動して直射日光が照射した場合のみ第２閾値レベル以上となる。このようにして、電子機器１００を使用する人の生活環境に合わせて第２閾値レベルの最適化を図ることができる。以上のように、ＧＰＳ受信回路３０でＧＰＳ衛星信号の受信に失敗した場合に、ＧＰＳ受信回路３０を作動させる条件をより厳しくすることにより、ＧＰＳ衛星信号の受信に適した環境でＧＰＳ受信回路３０を作動させることとなる。
【００７０】
一方で、制御回路４０は、受信処理によりＧＰＳ衛星信号の受信に成功した（ＳＡ７：Ｙｅｓ）と判定した場合には、この受信が光自動受信によるものか否かを判定する（ＳＡ９）。この後、制御回路４０は、光自動受信が成功した（ＳＡ９：Ｙｅｓ）と判定した場合には、記憶部６０に記憶されている定時受信時刻を削除するとともに、今回成功した光自動受信の開始時刻（自動受信成功時刻）を定時受信時刻として記憶部６０に記憶させ（ＳＡ１０）、ＳＡ８の処理を行う。
一方で、制御回路４０は、定時受信が成功した（ＳＡ９：Ｎｏ）と判定した場合には、ＳＡ１０の処理を行わずにＳＡ８の処理を行う。
【００７１】
なお、ＳＡ１０の処理において、制御回路４０は、自動受信成功時刻が「１２時００分３０秒」であっても、「１２時００分００秒」を定時受信時刻として記憶させる。すなわち、自動受信成功時刻を定時受信時刻として記憶させる前に、当該自動受信成功時刻が１分間隔で設定された複数の時間帯のうちのいずれの時間帯に含まれるかを判定し、この時間帯の特定時刻を自動受信成功時刻として記憶させる。例えば、自動受信成功時刻が「１２時００分００秒」から「１２時００分５９秒」までの時間帯に含まれる場合には、この時間帯の秒単位の値を切り捨てた「１２時００分００秒」を定時受信時刻として記憶させる。
【００７２】
このような第１実施形態によれば、以下のような作用効果が得られる。
制御回路４０は、電圧検出回路４４で検出された開放電圧の照度検出レベルが２回連続して第２閾値レベル以上であると判定した場合、電子機器１００の配置環境が屋外であると判断して、衛星信号の受信を行う。一方で、屋内配置状態が所定時間である２４時間以上の間継続したときには、予め設定された定時受信時刻に衛星信号の受信を行う。
このため、受信に失敗する可能性が高い屋内配置状態では衛星信号の受信を行わないので、無駄な電力消費を抑制できる。また、電子機器１００が屋外に配置されているにもかかわらず、電子機器１００が袖に隠れていることなどで屋外であると判断できない場合であっても、屋内配置状態が２４時間以上の間継続したときには、予め設定された定時受信時刻に衛星信号の受信を行う。このため、電子機器１００の配置環境の判断結果によらず、適切なタイミングで衛星信号を受信できる。
【００７３】
また、制御回路４０は、光自動受信または定時受信を行うと、変数Ｒを「１」に設定する。そして、制御回路４０は、次回の処理時に変数Ｒが「１」の場合には、定時受信の行わずに、光自動受信のみを行う。
このため、受信処理を行った翌日には、定時受信よりも成功の可能性が高い光自動受信のみを行うため、定時受信と光自動受信とを両方行う場合と比べて、無駄な電力を消費することなく衛星信号を受信できる。
【００７４】
さらに、制御回路４０は、過去における光自動受信の成功時刻を定時受信時刻として設定する。
このため、定時受信時刻を、利用者の生活パターンに合わせて設定することができ、受信の成功確率を高めることができる。特に、最後に光自動受信が成功した時刻を定時受信時刻として設定することで、直近の生活パターンに合わせた時刻に受信を行うことができる。
【００７５】
また、屋外検出回路を、ソーラーセル２２に当たる光の照度を検出する充電状態検出回路４３と電圧検出回路４４とで構成している。
このため、昼間であれば屋内と屋外とを適切に区別でき、受信の成功確率を高めることができる。
【００７６】
制御回路４０は、自動受信成功時刻をそのまま定時受信時刻として記憶させずに、当該自動受信成功時刻が含まれる時間帯の特定時刻を自動受信成功時刻として記憶させる。
このため、利用者は、定時受信時刻を容易に把握できる。
【００７７】
また、制御回路４０は、充電状態検出回路４３で充電状態が検出されている場合のみ、電圧検出回路４４を作動しているので、充電が行われていない状態つまり光がソーラーセル２２に照射していない状態で電圧検出回路４４が作動されることがなく、無駄な電力消費を防止できる。
【００７８】
充電状態検出回路４３による充電状態の検出処理を１秒間隔で行い、電圧検出回路４４による発電状態の検出処理は、充電状態検出回路４３によって充電中であると判定された場合のみ実行されるので、電圧検出回路４４の作動時間、つまり充電制御用スイッチ４２がオフされる時間を最小限に抑えることができる。このため、ソーラーセル２２による充電効率の低下も抑えることができる。
【００７９】
［第２実施形態］
次に、本発明の第２実施形態を図面に基づいて説明する。
なお、本実施形態の電子機器の構造は、前記第１実施形態と同様であるから、その詳細な説明は省略または簡略化する。
【００８０】
図８は、第２実施形態における制御回路での衛星信号の受信処理を示すフローチャートである。
本実施形態では、前記第１実施形態に対して、
（i）定時受信時刻が、強制受信が成功したときの受信開始時刻である点、
（ii）変数Ｒが「０」の場合（受信を行わなかった場合）には、充電状態検出回路４３および電圧検出回路４４を作動させない点、
が異なる。
なお、強制受信とは、操作部としてのボタン１５を利用者が意図して操作することにより開始される受信をいう。また、制御回路４０でのＳＢ１〜ＳＢ８の処理については、第１実施形態におけるＳＡ１〜ＳＡ８と同様の処理である。
【００８１】
制御回路４０は、図８に示すように、ＳＢ１〜ＳＢ６の処理を行い、ＳＢ６においてＹｅｓ（現在時刻が定時受信時刻である）と判定されると、定時受信を開始し（ＳＢ５）、Ｎｏ（現在時刻が定時受信時刻でない）と判定されると、強制受信開始の操作がなされたか否かを判定する（ＳＢ９）。
制御回路４０は、ＳＢ９でＹｅｓと判定されると、強制受信を開始し（ＳＢ５）、Ｎｏと判定されると、ＳＢ３の処理を行う。すなわち、所定時間内に受信処理が行われなかった場合には、充電状態検出回路４３および電圧検出回路４４を作動させないことで光自動受信を行わずに、定時受信または強制受信のみを行う。
【００８２】
また、制御回路４０は、ＳＢ７において受信が成功したと判定されると、強制受信が成功したか否かを判定する（ＳＢ１０）。成功した受信が強制受信であると判定されると（ＳＢ１０でＹｅｓ）、記憶部６０に記憶されている定時受信時刻を削除するとともに、今回成功した強制受信の開始時刻（強制受信成功時刻）を記憶部６０に記憶させて（ＳＢ１１）、ＳＢ８の処理を行う。一方、光自動受信または定時受信であると判定されると（ＳＢ１０でＮｏ）、ＳＢ１１の処理を行わずにＳＢ８の処理を行う。
なお、制御回路４０は、強制受信成功時刻をそのまま定時受信時刻として記憶させずに、当該強制受信成功時刻が含まれる時間帯の特定時刻を強制受信成功時刻として記憶させる。ここで、時間帯は、第１実施形態と同様に１分間隔で設定されたものであってもよいし、異なる間隔で設定されたものであってもよい。
【００８３】
このような第２実施形態によれば、前記第１実施形態で得られる作用効果の他に、以下の作用効果が得られる。
制御回路４０は、屋内配置状態が２４時間以上継続し、変数Ｒが「０」の場合には、充電状態検出回路４３および電圧検出回路４４を作動させないことで光自動受信を行わずに、定時受信を行う。
このため、光自動受信による無駄な検出処理を行うことなく衛星信号を受信できる。
【００８４】
制御回路４０は、過去における強制受信の成功時刻を定時受信時刻として設定する。
ここで、利用者は、受信を成功させるために、屋外にいる場合に強制受信を要求すると考えられる。このため、強制受信が要求された時刻には、利用者は、屋外にいる可能性が高いと考えられる。このため、過去に強制受信が要求された時刻に定時受信を行うことで、受信の成功確率を高めることができる。
【００８５】
［第３実施形態］
次に、本発明の第３実施形態を図面に基づいて説明する。
なお、本実施形態の電子機器の構造は、前記第１実施形態と同様であるから、その詳細な説明は省略または簡略化する。
【００８６】
図９は、第３実施形態における制御回路での衛星信号の受信処理を示すフローチャートである。
本実施形態では、前記第１実施形態に対して、
（i）衛星信号の受信を行った場合には、制御開始時刻としての制御再開時刻を翌々日の１２時００分００秒と設定し、受信を行っていない場合には、制御再開時刻を翌日の１２時００分００秒に設定する点、
が異なる。なお、制御回路４０でのＳＣ１〜ＳＣ１０の処理については、第１実施形態におけるＳＡ１〜ＳＡ１０と同様の処理である。
【００８７】
制御回路４０は、図９に示すように、ＳＣ１〜ＳＣ１０の処理を行い、ＳＣ４あるいはＳＣ８において変数Ｒの設定を行うと、変数Ｒが「１」に設定されているか否かを判定する（ＳＣ１１）。
制御回路４０は、ＳＣ１１においてＹｅｓ（受信処理を行った）と判定されると、制御再開時刻を翌々日の１２時００分００秒に設定し（ＳＣ１２）、Ｎｏ（受信処理を行っていない）と判定されると、制御再開時刻を翌日の１２時００分００秒に設定する（ＳＣ１３）。
【００８８】
このような第３実施形態によれば、前記第１実施形態で得られる作用効果の他に、以下の作用効果が得られる。
制御回路４０は、受信を行った場合には、翌々日の受信再開時刻まで受信制御を行わず、受信を行っていない場合には、翌日の受信再開時刻に受信制御を行う。
ここで、受信処理には二次電池２４の電力が必要であり、受信処理を行った翌日の電力の残量は少なくなる。このため、２日続けて受信処理を行うと、受信中に電力が無くなり受信が中断してしまうおそれがある。本実施形態では、受信処理を行った翌日に受信処理を行わないため、当該翌日に二次電池２４の充電を行うことが可能となり、受信が中断してしまうという不具合を抑制できる。
一方で、受信処理を行わなかった翌日には、二次電池２４の電力は十分に残っている。このため、当該翌日に受信処理を行ったとしても、受信中に電力が無くなるという不具合が発生することなく、迅速なタイミングで衛星信号を受信できる。
【００８９】
［第４実施形態］
次に、本発明の第４実施形態を図面に基づいて説明する。
なお、本実施形態の電子機器の構造は、前記第１実施形態と同様であるから、その詳細な説明は省略または簡略化する。
【００９０】
図１０は、第４実施形態における制御回路での照度検出レベルの記憶処理を示すフローチャートである。図１１は、定時受信時刻の設定に用いる各照度検出レベルでの検出時刻および検出回数の関係を示す図である。図１２は、制御回路での衛星信号の受信処理を示すフローチャートである。
本実施形態では、前記第１実施形態に対して、
（i）定時受信時刻を、過去に検出した照度検出レベルにおける検出時刻および検出回数に基づいて設定する点、
が異なる。
なお、制御回路４０でのＳＤ１１〜ＳＤ１７の処理については、第１実施形態におけるＳＡ１〜ＳＡ６，ＳＡ８と同様の処理である。
【００９１】
制御回路４０は、例えば、電子機器１００が初めて利用される場合、あるいは、システムリセット後に、照度検出レベルの記憶処理を行い、数日分あるいは数時間分のデータを蓄積する。また、後述する図１２に示すような衛星信号の受信処理中にも照度検出レベルの記憶処理を行い、データを蓄積していく。
すなわち、制御回路４０は、所定時間毎に、あるいは、利用者のボタン操作に基づいて、一定周期で充電状態検出回路４３を作動する（ＳＤ１）。ここで、一定周期としては、１秒、５秒、１０秒、１分、３０分などいずれの周期であってもよい。周期は、記憶部６０の記憶容量や二次電池２４の消費電力で決めることができる。すなわち、記憶部６０の記憶容量が大きければ、後述する定時受信時刻の設定を適切に行うために、周期を短くして多くのデータを記憶すればよい。また、二次電池２４の消費電力を抑えたい場合には、周期を長くすればよい。さらに、夜の時間帯に照度検出レベルの記憶処理を行わなくてもよい。これは、夜に検出される照度検出レベルは、利用者が屋外にいれば低いためである。
【００９２】
次に、制御回路４０は、充電中であるか否かを判定し（ＳＤ２）、充電中ではない（ＳＤ２：Ｎｏ）と判定した場合には、ＳＤ１の処理を行う。一方、制御回路４０は、ＳＤ２で充電状態である（ＳＤ２：Ｙｅｓ）と判定された場合、充電制御用スイッチ４２をオフにして、ソーラーセル２２に当たる光の照度に対応する開放電圧を検出する（ＳＤ３）。
【００９３】
そして、制御回路４０は、例えば、図７に示す関係に基づいて、開放電圧に対応する照度検出レベルを判定して（ＳＤ４）、この判定した照度検出レベルを当該検出レベルの検出時刻とともに記憶させて（ＳＤ５）、処理を終了する。具体的に、制御回路４０は、照度の検出時刻を記憶させる前に、当該検出時刻が１分間隔で設定された複数の時間帯のうちのいずれの時間帯に含まれるかを判定し、この時間帯の特定時刻を検出時刻として照度検出レベルとともに記憶させる。例えば、照度の検出時刻が「２０時００分００秒」から「２０時００分５９秒」までの時間帯に含まれる場合には、この時間帯の秒単位の値を切り捨てた「２０時００分００秒」を検出時刻として記憶させる。
なお、この時間帯は、１分間隔に限らず、５分、１０分、１５分、３０分間隔としてもよい。また、検出時刻は、秒単位を切り捨てたものに限らず、秒単位および分単位の両方を切り捨てたものであってもよい。さらに、時間帯が例えば１０分間隔で設定されている場合において、「１９時５５分００秒」から「２０時０４分５９秒」までの時間帯の検出時刻は、最初の「１９時５５分００秒」であってもよいし、中間の「２０時００分００秒」であってもよい。
【００９４】
また、制御回路４０は、照度検出レベルと検出時刻とを記憶させる際に、当該組合せがすでに記憶部６０に記憶されている場合には、当該組合せの検出回数を１増やす。一方、照度検出レベルと検出時刻との組合せが、記憶部６０に記憶されていない場合には、当該組合せを新たに記憶させるとともに、検出回数が１回である旨を記憶させる。
さらに、制御回路４０は、照度検出レベルが高い順かつ検出回数が多い順にデータを並び替えて、当該照度検出レベルの検出時刻を定時受信時刻として設定する優先順位を設定する。具体的に、制御回路４０は、図１１に示すように、まず、照度検出レベルが高い順にデータを並べ、照度検出レベルが同じ場合には、検出回数が多い順にデータを並べる。そして、この並べた順序で優先順位を設定する。ここで、図１１に示す優先順位は、値が小さいほど優先順位が高いことを表すものである。
【００９５】
なお、検出回数を記憶部６０に記憶させずに、照度検出レベルと検出時刻のみを記憶させ、同じ照度検出レベルおよび検出時刻の組合せの数をカウントすることで、検出回数を判定してもよい。また、優先順位が高い順にデータを並び替えているが、データを並び替えずに優先順位を設定してもよい。
【００９６】
また、制御回路４０は、図１２に示すように、ＳＤ１１〜ＳＤ１９の衛星信号の受信処理を行う。ここで、記憶部６０に記憶された過去の照度検出レベルの検出結果に基づいて、優先順位が最も高い検出時刻が定時受信時刻として設定されている。図１１に示す状態でＳＤ１６の処理を行う場合には、優先順位が「１」の「２０時００分００秒」が定時受信時刻として設定されている。
【００９７】
制御回路４０は、ＳＤ１７の処理の後、受信が成功したか否かを判定する（ＳＤ１８）。そして、制御回路４０は、ＳＤ１８でＹｅｓと判定した場合、定時受信時刻を変更せずに、制御再開時刻である翌日の１２時００分００秒まで待機状態に移行する。
【００９８】
一方で、制御回路４０は、ＳＤ１８でＮｏと判定した場合、定時受信時刻を変更して（ＳＤ１９）、翌日の１２時００分００秒まで待機状態に移行する。具体的に、制御回路４０は、定時受信時刻として設定されていた検出時刻以外の検出時刻のうち、最も優先順位が高い（最も照度検出レベルが高くかつ最も検出回数が多い）検出時刻を定時受信時刻として設定する。ここで、上述したように、制御回路４０は、衛星信号の受信処理と並行して、照度検出レベルの記憶処理を行っている。このため、制御回路４０は、最新のデータに基づいて、定時受信時刻を変更する。例えば、図１１に示す状態において、優先順位が「１」の「２０時００分００秒」での定時受信に失敗した場合には、優先順位が「２」の「７時００分００秒」を定時受信時刻として設定する。
【００９９】
このような第４実施形態によれば、前記第１実施形態で得られる作用効果の他に、以下の作用効果が得られる。
制御回路４０は、過去に検出した照度検出レベルと、当該照度検出レベルの検出時刻とを記憶部６０に記憶させ、照度検出レベルが最も高い検出時刻を定時受信時刻として設定する。
このため、建物などの衛星信号を遮るものが少ない環境下であると考えられる時刻に定時受信を行うことができ、受信の成功確率を高めることができる。
【０１００】
制御回路４０は、照度検出レベルが最も高い検出時刻のうち、検出回数が最も多い検出時刻を定時受信時刻として設定する。
このため、過去における照度が高い検出時刻のうち、検出回数が最も多い検出時刻に受信を行うことで、受信の成功確率を高めることができる。
【０１０１】
制御回路４０は、検出時刻を定時受信時刻として設定する優先順位を、照度検出レベルが高い順かつ検出回数が多い順に設定する。そして、定時受信が失敗した場合には、定時受信時刻として設定されていた検出時刻以外の検出時刻のうち、最も優先順位が高い検出時刻を定時受信時刻として設定し、成功した場合には、定時受信時刻を変更しない。
このため、例えば、利用者の生活パターンが変わったり、照明の影響で照度検出レベルが屋外と同じように高かったことにより、過去における照度が最も高い時刻に受信を失敗しても、次回の定時受信を次に照度が高いあるいは検出回数が多い時刻に行うため、次回の定時受信の成功確率を高めることができる。
【０１０２】
［第５実施形態］
次に、本発明の第５実施形態を図面に基づいて説明する。
なお、本実施形態の電子機器の構造は、前記第１実施形態と同様であり、本実施形態の制御回路での衛星信号の受信処理は、前記第４実施形態と同様であるから、その詳細な説明は省略または簡略化する。
【０１０３】
図１３は、第５実施形態における制御回路での検出時刻の記憶処理を示すフローチャートである。図１４は、定時受信時刻の設定に用いる各検出時刻での検出回数を示す図である。
本実施形態では、前記第４実施形態に対して、
（i）定時受信時刻を、過去に照度検出レベルが第１閾値としての第１閾値レベル以上となった検出時刻および検出回数に基づいて設定する点、
が異なる。
なお、制御回路４０でのＳＥ１〜ＳＥ４の処理については、第４実施形態におけるＳＤ１〜ＳＤ４と同様の処理である。
【０１０４】
制御回路４０は、例えば、電子機器１００が初めて利用される場合、あるいは、システムリセット後に、図１３に示すような検出時刻の記憶処理を行い、数日分あるいは数時間分のデータを蓄積する。また、後述する衛星信号の受信処理中にも検出時刻の記憶処理を行い、データを蓄積していく。
具体的に、制御回路４０は、ＳＥ１〜ＳＥ４の処理を行い、ＳＥ４で検出した開放電圧に対応する照度検出レベルが、２回連続して第１閾値レベル（例えば、「５」）以上か否かを判定する（ＳＥ５）。なお、第１閾値レベルは、図７に示す関係に基づいて設定されており、「５」以外のレベルに設定されていてもよい。
【０１０５】
制御回路４０は、照度検出レベルが２回連続して第１閾値レベル以上でない（ＳＥ５：Ｎｏ）と判定された場合、処理を終了する。一方で、２回連続して第１閾値レベル以上である（ＳＥ５：Ｙｅｓ）と判定された場合、第４実施形態と同様の処理により求められた当該照度検出レベルの検出時刻を記憶させて（ＳＥ６）、処理を終了する。具体的に、制御回路４０は、ＳＥ５での検出結果に基づく検出時刻が、すでに記憶部６０に記憶されている場合には、当該検出時刻の検出回数を１増やす。一方、当該検出時刻が、記憶部６０に記憶されていない場合には、当該検出時刻を新たに記憶させるとともに、検出回数が１回である旨を記憶させる。
さらに、制御回路４０は、検出回数が多い順にデータを並び替えて、検出時刻を定時受信時刻として設定する優先順位を設定する。具体的に、制御回路４０は、図１４に示すように、まず、検出回数が多い順にデータを並べ、この並べた順序で優先順位を設定する。ここで、図１４に示す優先順位は、値が小さいほど優先順位が高いことを表すものである。
なお、第５実施形態では、時間帯および検出時刻が１５分間隔で設定されているため、１分間隔で設定されている第４実施形態の構成と比べて、定時受信時刻の管理数をより少なくできるとともに、利用者が定時受信時刻をより把握しやすくなる。また、記憶部６０の記憶容量を小さくできる。
【０１０６】
また、制御回路４０は、図１２に示すように、ＳＤ１１〜ＳＤ１９の衛星信号の受信処理を行う。本実施形態では、制御回路４０は、記憶部６０に記憶された過去の検出結果に基づいて、検出回数が最も多い検出時刻を、ＳＤ１１での判断基準となる定時受信時刻として設定する。
【０１０７】
また、制御回路４０は、ＳＤ１９における定時受信時刻の変更処理として、定時受信時刻として設定されていた検出時刻以外の検出時刻のうち、最も優先順位が高い（最も検出回数が多い）検出時刻を定時受信時刻として設定する。ここで、上述したように、制御回路４０は、衛星信号の受信処理と並行して、照度検出レベルの記憶処理を行っているため、最新のデータに基づいて、定時受信時刻を変更する。
【０１０８】
このような第５実施形態によれば、前記第１，第４実施形態で得られる作用効果の他に、以下の作用効果が得られる。
制御回路４０は、照度検出レベルが２回連続して第１閾値レベル以上の場合に、当該検出レベルの検出時刻を定時受信時刻として設定する。
このため、過去において照度検出レベルが第１閾値レベル以上であった時刻を選んで受信を行うことで、受信の成功確率を高めることができる。また、利用者が屋外にいることを検出できるような値に第１閾値レベルを設定することで、利用者が屋外にいるタイミングで定時受信を行うことができる。
【０１０９】
制御回路４０は、照度検出レベルが２回連続して第１閾値レベル以上の場合には、当該照度検出レベルの検出時刻とともに、検出回数を合わせて記憶させる。そして、制御回路４０は、検出回数が最も多い検出時刻を定時受信時刻として設定する。
このため、過去における照度検出レベルが第１閾値レベル以上の時刻が複数存在する場合でも、検出回数が最も多い時刻に定時受信を行うことで、利用者が屋外にいる可能性が高いタイミングで受信を行うことができ、受信の成功確率を高めることができる。
【０１１０】
［他の実施形態］
なお、本発明は前記実施形態の構成に限定されず、本発明の要旨の範囲内で種々の変形実施が可能である。
例えば、第１〜第３実施形態において、図１５に示すような関係に基づいて、定時受信時刻を設定してもよい（第１変形例）。
具体的に、制御回路４０は、図４、図８、図９に示す衛星信号の受信処理を行う前に、過去の光自動受信あるいは強制受信が成功した時刻を、成功した順序に関連付けて記憶部６０に記憶させる。ここでは、最大で１０個の受信成功時刻を記憶させる場合を例示するが、最大数は１０個に限られない。また、図１５に示す例では、成功順序が「１」の受信成功時刻が１番目に新しい時刻であり、「１０」が１０番目に新しい時刻である。そして、制御回路４０は、まず、１番目に新しい「６時１０分００秒」を定時受信時刻に設定し、当該時刻で定時受信が成功した場合には、次回も同じ時刻に定時受信を開始し、失敗した場合には、２番目に新しい「６時１５分００秒」を次回の定時受信時刻として設定してもよい。
【０１１１】
また、第１〜第３実施形態において、図１６に示すような関係に基づいて、定時受信時刻を設定してもよい（第２変形例）。
具体的に、制御回路４０は、過去の各時間帯における光自動受信あるいは強制受信を実施した回数と、受信が成功した回数とを記憶部６０に記憶させる。そして、制御回路４０は、まず、１番目に受信成功回数が多い「６時００分００秒」を定時受信時刻に設定し、当該時刻で定時受信が成功した場合には、次回も同じ時刻に定時受信を開始し、失敗した場合には、２番目に受信成功回数が多い「８時００分００秒」を次回の定時受信時刻として設定してもよい。
このような構成にすれば、過去における成功回数が最も多い時刻に受信を失敗しても、次回の受信を次に成功回数が多い時刻に行うため、生活パターンが変わった場合でも、次回の受信の成功確率を高めることができる。
なお、受信成功回数ではなく、成功率（受信成功回数÷受信回数）あるいは失敗率に基づく順序で定時受信時刻を設定してもよい。
【０１１２】
さらに、第１〜第５実施形態や第１，第２変形例において、図１７に示すような関係をさらに考慮に入れて、定時受信を行ってもよい（第３変形例）。
具体的に、制御回路４０は、過去の各曜日における光自動受信あるいは強制受信が成功した回数を記憶部６０に記憶させる。そして、制御回路４０は、まず、１番目に成功回数が多い「月曜日」のみ定時受信を行い、当該曜日に定時受信が成功した場合には、次回も同じ曜日のみ定時受信を行い、失敗した場合には、２番目に成功回数が多い「金曜日」のみ次回の定時受信を行ってもよい。
【０１１３】
また、第１〜第５実施形態や第１〜第３変形例において、衛星信号の受信処理が１回失敗した場合には、例えば、１分、１０分、３０分などの所定時間経過後に受信処理を行い、所定回数失敗したら受信処理を終了してもよい。
さらに、第４，第５実施形態や第１〜第３変形例において、記憶部６０に記憶された複数の時刻の中から、利用者により選択された時刻を定時受信時刻として設定してもよい。
また、第４，第５実施形態や第１〜第３変形例において、制御回路４０は、定時受信が失敗した場合には、当該定時受信時刻を、次回以降の定時受信時刻の設定対象から外してもよい。
このような構成にすれば、例えば、生活パターンが変わったなどの理由により、以前に受信が成功した時刻に利用者が屋内で生活することになったとしても、受信が失敗した時刻を受信時刻の設定対象から外すことにより、受信が失敗する確率を減らすことができる。
さらに、照度検出レベルに基づいて、衛星信号の受信処理を開始したが、屋外検出回路として湿度や気温あるいは気圧を検出する構成を用い、湿度や気温あるいは気圧が所定値以上となった場合に、屋外に配置されていると判断して、衛星信号の受信処理を開始してもよい。例えば、登山に利用する衛星信号受信装置であれば、高地での気圧が低地と大きく異なるため、有効である。
【０１１４】
さらに、第２実施形態において、光自動受信での成功時刻と強制受信での成功時刻との両方を記憶部６０に記憶させ、最新の成功時刻を定時受信時刻として設定してもよい。
このような構成にすれば、最新の利用者の生活パターンに基づいて定時受信を行うことができる。さらには、第１，第２，第４，第５実施形態の定時受信時刻の設定方法を必要に応じて組み合わせ、所定の条件に基づいて第１，第２，第４，第５実施形態のいずれかの時刻を定時受信時刻として設定してもよい。
【０１１５】
さらに、第４，５実施形態において、衛星信号の受信処理が失敗した場合であっても、定時受信時刻を変更しなくてもよい。
また、第１〜第５実施形態において、予め設定された時間帯の特定時刻を検出時刻として記憶部６０に記憶させたが、受信の成功時刻や照度の検出時刻をそのまま記憶させてもよい。
【０１１６】
また、第５実施形態において、第１閾値レベルと第２閾値レベルとを同じレベルに設定せずに、第１閾値レベルを第２閾値レベルよりも高くしてもよいし、低くしてもよい。
例えば、第１閾値レベルを第２閾値レベルよりも高くした場合、以下の効果を期待できる。すなわち、例えば、第１閾値レベルを晴天の昼間に対応するレベル（以下、高照度レベルという）まで高くすることで、利用者が確実に屋外にいた時刻を定時受信時刻として設定できる。
そして、第２閾値レベルを第１閾値レベルと同じ高照度レベルに設定すると、定時受信時刻に利用者が屋外にいたとしても、曇天や雨天あるいは電子機器１００が袖に隠れるなどして、高照度レベルの照度を検出できない場合には、照度検出レベルが第２閾値レベル以上とならないため、受信処理を開始することができない。
これに対して、第２閾値レベルを第１閾値レベルよりも低く設定すれば、定時受信時刻に利用者が屋外にいれば、曇天や雨天あるいは電子機器１００が袖に隠れるなどしても、照度検出レベルが第２閾値レベル以上となるため受信処理を開始することができる。
したがって、利用者が確実に屋外にいた時刻における受信機会を増やすことができ、衛星信号を高い成功確率でかつ高頻度で受信できる。
【０１１７】
前記実施形態では、照度検出回路でソーラーセル２２に当たる光の照度が高くなるほど高い値となる検出値を検出しているが、前記検出値はソーラーセル２２に当たる光の照度が高くなるほど高い値となるものに限定されない。すなわち、前記検出値はソーラーセル２２に当たる光の照度が高くなるほど低い値となるものであってもよい。なお、検出値がソーラーセル２２に当たる光の照度が高くなるほど低い値となる場合としては、例えば、ソーラーセル２２に当たる光の照度が高くなるほど、開放電圧が低くなるようなデバイスを用いる場合が挙げられる。
【０１１８】
本発明の衛星信号受信装置を備える電子機器１００は、腕時計（電子時計）に限定されず、例えば、携帯電話、登山等に用いられる携帯型のＧＰＳ受信機等、二次電池で駆動されて位置情報衛星から送信される衛星信号を受信する装置に広く利用できる。
さらに、本発明では、ソーラーセル２２、二次電池２４、充電制御用スイッチ４２、電圧検出回路４４を備えることで、ソーラーセル２２に照射された光の照度を高精度に検出することができる。これらの構成による照度の検出機構は、衛星信号受信装置のみに利用されるものではなく、他の機器にも適用できる。特に、照度の検出によって、何らかの装置を起動する機器に適している。例えば、照度に応じて、照明をオン・オフしたり、照明の光量を変化させる機器や、照度に応じて受信を開始する長波の電波修正時計等に応用できる。また、本発明の衛星信号受信装置をソーラーセル２２を照度検出のみに用いる電子機器に適用してもよい。
【符号の説明】
【０１１９】
１００…電子機器、２２…ソーラーセル、２４…二次電池、３０…ＧＰＳ受信回路、４０…制御回路、４３…充電状態検出回路（屋外検出回路、照度検出回路）、４４…電圧検出回路（屋外検出回路、照度検出回路）、６０…記憶部。
【図１】
0005915030.tif 000002
【図２】
0005915030.tif 000003
【図３】
0005915030.tif 000004
【図４】
0005915030.tif 000005
【図５】
0005915030.tif 000006
【図６】
0005915030.tif 000007
【図７】
0005915030.tif 000008
【図８】
0005915030.tif 000009
【図９】
0005915030.tif 000010
【図１０】
0005915030.tif 000011
【図１１】
0005915030.tif 000012
【図１２】
0005915030.tif 000013
【図１３】
0005915030.tif 000014
【図１４】
0005915030.tif 000015
【図１５】
0005915030.tif 000016
【図１６】
0005915030.tif 000017
【図１７】
0005915030.tif 000018